(57)【特許請求の範囲】
【請求項１】
商用電源から供給される電力を出力する電源部と、
二次電池を有し、前記電源部から出力される電力によって前記二次電池を充電する充電部と、
前記電源部に接続され、前記電源部から出力される電力によって画像を形成する形成部と、
前記電源部に接続され、前記電源部から出力される電力によって前記形成部を制御するメイン制御部と、
前記充電部から供給される電力によって駆動し、時間を計時するとともに前記バックアップ制御部にクロック信号を出力するリアルタイムクロックと、
オン状態とオフ状態とを切り換える電源スイッチと、
前記リアルタイムクロックが出力する前記クロック信号が入力され、前記充電部から供給される電力によって駆動し、前記電源スイッチがオン状態である場合、前記電源部に対して電力供給を指示し、前記電源スイッチがオフ状態である場合、前記電源部に対して電力供給の停止を指示する、バックアップ制御部と、
を備え、
前記バックアップ制御部は、
更に、前記電源部から出力される電力を検出し、
前記電源部に対して電力供給を指示しているにもかかわらず、前記電源部から出力される電力を検出できない場合、前記充電部に対して当該バックアップ制御部に対する電力の供給の停止、及び、前記リアルタイムクロックに対して前記クロック信号の出力の停止を指示し、
前記リアルタイムクロックは、
前記バックアップ制御部からクロック信号の出力停止の指示を受けた場合、前記充電部から供給される電力によって駆動し、時間を計時した状態で、前記バックアップ制御部に対するクロック信号の出力を停止させる、
画像形成装置。
【発明の詳細な説明】
【技術分野】
【０００１】
本発明は、バックアップ電源を備える画像形成装置において、バックアップ電源によるバックアップ時間を長期化する技術に関する。
【背景技術】
【０００２】
従来から、バックアップ電源を備える画像形成装置が知られている（例えば、特許文献１）。従来技術では、装置の主電源が接続された場合に、バックアップ電源に電力を蓄えておき、装置の主電源が切断された場合に、バックアップ電源から主電源が切断された場合に装置を制御するバックアップ制御部及びリアルタイムクロック（以下、ＲＴＣ）に電力が供給される。これによって、印刷中に装置の主電源が切断されたされた場合でも、バックアップ制御部の制御により印字ヘッドをホームポジションに移動させ、印字ヘッドにキャップをする等、必要なバックアップ動作を行うことができるとともに、年月日や時刻を管理するＲＴＣが停止してしまうことが抑制される。
【０００３】
また、従来技術では、主電源が切断された状態が長期間に亘って維持され、バックアップ電源の電力が所定以上に減少した場合に、装置の主電源を切断状態から接続状態に切り換え、再びバックアップ電源に電力を蓄える。これによって、ＲＴＣに電力が供給されず、ＲＴＣが停止してしまうことが抑制される。
【先行技術文献】
【特許文献】
【０００４】
【特許文献１】特開２００２−５１４８２号公報
【発明の概要】
【発明が解決しようとする課題】
【０００５】
しかし、停電時など装置が商用電源から切断された状態となった場合、装置に電力が供給されないため、バックアップ電源の電力が減少した場合でも、再びバックアップ電源に電力を蓄えることができない。商用電源から切断された状態では、バックアップ制御部による制御は不要であるにもかかわらず、従来技術のように一律にバックアップ電源からバックアップ制御部及びＲＴＣの両方に電力を供給することとすると、ＲＴＣに電力を供給可能な期間か縮小されてしまい、ＲＴＣが停止してしまう虞がある。ＲＴＣが停止すると、装置に再び電力が供給された場合に、ユーザは年月日や時刻を再設定しなければならない問題が生じていた。
【０００６】
本明細書では、バックアップ電源を備える画像形成装置において、バックアップ電源によるバックアップ時間を長期化する技術に関する。
【課題を解決するための手段】
【０００７】
本明細書によって開示される画像形成装置は、商用電源から供給される電力を出力する電源部と、二次電池を有し、前記電源部から出力される電力によって前記二次電池を充電する充電部と、前記電源部に接続され、前記電源部から出力される電力によって画像を形成する形成部と、前記電源部に接続され、前記電源部から出力される電力によって前記形成部を制御するメイン制御部と、オン状態とオフ状態とを切り換える切換部と、前記充電部から供給される電力によって駆動し、前記切換部の状態に基づいて前記電源部が電力を出力する状態と、前記電源部が電力の出力を停止する状態とを切り換えるバックアップ制御部と、前記充電部から供給される電力によって計時するクロック部と、を備え、前記バックアップ制御部は、前記電源部から出力される電力を検出し、前記バックアップ制御部が前記電源部に対し電力を出力する状態を指示しているにも関わらず、前記電源部から電力が出力されない場合、前記充電部に対して当該バックアップ制御部に対する電力の供給を停止するように指示する。
【０００８】
また、上記の画像形成装置では、前記バックアップ制御部は、前記切換部がオン状態である場合、前記電源部に対して電力を出力するように指示しており、前記切換部がオン状態であるにも関わらず、前記電源部から電力が出力されない場合、前記充電部に対して当該バックアップ制御部に対する電力の供給を停止するように指示する構成としても良い。
【０００９】
また、上記の画像形成装置では、前記バックアップ制御部は、前記切換部がオフ状態である場合、前記電源部に対して電力の出力を停止するように指示する一方、前記充電部が供給する電力を検出し、前記切換部がオフ状態であって前記充電部から供給される電力が基準電力を下回った場合、前記電源部に対して電力を出力するように指示しており、当該バックアップ制御部から電力を出力するように指示されているにも関わらず、前記電源部から電力が一定時間に亘って出力されない場合、前記充電部に対して当該バックアップ制御部に対する電力の供給を停止するように指示する構成としても良い。
【００１０】
また、本明細書によって開示される画像形成装置は、商用電源から供給される電力を出力する電源部と、二次電池を有し、前記電源部から出力される電力によって前記二次電池を充電する充電部と、前記電源部に接続され、前記電源部から出力される電力によって画像を形成する形成部と、前記電源部に接続され、前記電源部から出力される電力によって前記形成部を制御するメイン制御部と、オン状態とオフ状態とを切り換える切換部と、前記充電部から供給される電力によって駆動し、前記切換部の状態に基づいて前記電源部が電力を出力する状態と、前記電源部が電力の出力を停止する状態とを切り換えるバックアップ制御部と、前記充電部から供給される電力によって駆動し、計時するとともに前記バックアップ制御部にクロック信号を出力するクロック部と、を備え、前記バックアップ制御部は、前記電源部から出力される電力を検出し、前記バックアップ制御部が前記電源部に対し電力を出力する状態を指示しているにも関わらず、前記電源部から電力が出力されていない場合、前記クロック部に対して当該バックアップ制御部に対する前記クロック信号の出力を停止するように指示する構成であっても良い。
【００１１】
また、上記の画像形成装置では、前記バックアップ制御部は、前記切換部がオン状態である場合、前記電源部に対して電力を出力するように指示しており、前記切換部がオン状態であるにも関わらず、前記電源部から電力が出力されていない場合、前記クロック部に対して当該バックアップ制御部に対する前記クロック信号の出力を停止するように指示する構成としても良い。
【００１２】
また、上記の画像形成装置では、前記バックアップ制御部は、前記切換部がオフ状態である場合、前記電源部に対して電力の出力を停止するように指示する一方、前記充電部が供給する電力を検出し、前記切換部がオフ状態であって前記充電部から供給される電力が基準電力を下回った場合、前記電源部に対して電力を出力するように指示しており、当該バックアップ制御部から電力を出力するように指示されているにも関わらず、前記電源部から電力が一定時間に亘って出力されない場合、前記クロック部に対して当該バックアップ制御部に対する前記クロック信号の出力を停止するように指示する構成としても良い。
【発明の効果】
【００１３】
本明細書によって開示される画像形成装置では、電源部が電力を出力する状態であるにも関わらず電源部から電力が出力されない場合、充電部からバックアップ制御部に電力が供給されないようにする。そのため、電源部から電力が出力されず、充電部の二次電池を充電できない場合に、現在充電部に充電されている電力をクロック部のみに供給することができ、バックアップ制御部とクロック部の両方に供給する場合に比べてクロック部に電力を供給可能なバックアップ時間を長期化することができる。これによって、再び電源部から電力が出力される状態となる前に、クロック部への電力の供給が終了し、再び電源部から電力が出力される状態となった場合に、年月日や時間の設定等の作業が必要となる事態の発生を抑制することができる。
【図面の簡単な説明】
【００１４】
【図１】プリンタ１０の電気的構成を概略的に示すブロック図
【図２】通常動作時の処理を示すタイムチャート
【図３】通常動作時の処理を示すフローチャート
【図４】第１異常動作時の処理を示すタイムチャート
【図５】第１異常動作時の処理を示すフローチャート
【図６】第２異常動作時の処理を示すタイムチャート
【図７】第２異常動作時の処理を示すフローチャート
【図８】第２異常動作時の処理を示すフローチャート
【発明を実施するための形態】
【００１５】
＜実施形態＞
本実施形態を、図１ないし図８を用いて説明する。
【００１６】
１．プリンタの電気的構成
図１は、プリンタ（画像形成装置の一例）１０の概略的な電気的構成を示すブロック図である。プリンタ１０は、商用電源であるＡＣ１００Ｖ電源（以下、電源）から供給される電力に基づいて、シートに画像を形成する装置である。なお、プリンタ１０は、レーザプリンタあるいはインクジェットプリンタであってもよい。また、ファクシミリ装置や、プリンタ機能及び読み取り機能（スキャナ機能）等を備えた複合機であってもよい。
【００１７】
プリンタ１０は、電源部１２と、電圧変換回路１４と、充電回路（充電部の一例）１６と、第１電圧検出回路２０と、第２電圧検出回路２２と、リアルタイムクロック（クロック部の一例：以下、ＲＴＣ）２４と、電源スイッチ（切換部）２６と、ＡＳＩＣ（特定用途向け集積回路）３０と、印字部（形成部の一例）４０と、を含む。ＡＳＩＣ３０は、通常電源動作回路（メイン制御部の一例）３４とバックアップ電源動作回路（バックアップ制御部の一例）３８と、をを備える。
【００１８】
電源部１２は、ユーザによってＡＣ１００Ｖ電源に接続され、当該電源からＡＣ１００Ｖで供給される電力をＤＣ６Ｖに変換し、電圧変換回路１４等に出力する。第１電圧検出回路２０は、電源部１２の出力電圧Ｖ１を検出しており、出力電圧Ｖ１を検出した結果である検出信号Ｘ１をバックアップ電源動作回路３８に出力する。電圧変換回路１４は、電源部１２から供給されるＤＣ６Ｖの電力を、ＡＳＩＣ３０等で使用されるＤＣ３．３Ｖの電力に変換し、通常電源動作回路３４や充電回路１６、印字部４０等に出力する。
【００１９】
充電回路１６は、二次電池１８を有しており、電圧変換回路１４から供給される電力を二次電池１８に充電する。また、充電回路１６は、二次電池１８に充電された電力を、バックアップ電源動作回路３８やＲＴＣ２４等に出力する。第２電圧検出回路２２は、充電回路１６の出力電圧Ｖ２を検出しており、出力電圧Ｖ２を検出した結果である検出信号Ｘ２をバックアップ電源動作回路３８に出力する。ＲＴＣ２４は、充電回路１６から供給される電力によって計時し、ユーザにより設定された年月日や時間に基づいて、装置の年月日や時間を管理している。また、ＲＴＣ２４は、バックアップ電源動作回路３８に接続されており、バックアップ電源動作回路３８から入力される制御信号Ｘ３に基づいて、バックアップ電源動作回路３８にクロック信号ＣＬを出力する。
【００２０】
電源スイッチ２６は、プリンタ１０のオン／オフ状態を切り換えるためのスイッチであり、プリンタ１０をオン状態とするための第１状態と、プリンタ１０をオフ状態とするための第２状態が、ユーザによって切り換えられる。電源スイッチ２６は、通常電源動作回路３４とバックアップ電源動作回路３８に接続されており、ユーザによって第１状態から第２状態に切り換えられた場合、これらの回路にオン状態への遷移指示Ｙを出力する。また、ユーザによって第２状態から第１状態に切り換えられた場合、これらの回路にオフ状態への遷移指示Ｙを出力する。
【００２１】
通常電源動作回路３４は、電圧変換回路１４から供給される電力によって駆動するとともに、ＣＰＵ３２を有している。ＣＰＵ３２は、印字部４０に接続されており、印字部４０を制御する。印字部４０は、電圧変換回路１４から供給される電力によって駆動し、ＣＰＵ３２から入力される印字指示及び印字データに基づいてシートに画像を形成する。ＣＰＵ３２は、電源スイッチ２６に接続されており、電源スイッチ２６から入力される遷移指示Ｙに基づいて、プリンタ１０のオン／オフ状態を切り換える。また、ＣＰＵ３２は、後述するバックアップ電源動作回路３８の状態検出回路３６に接続されており、電源スイッチ２６から入力される遷移指示等の各種指示を状態検出回路３６に出力する。
【００２２】
バックアップ電源動作回路３８は、充電回路１６から供給される電力によって駆動するとともに、状態検出回路３６を有している。状態検出回路３６は、電圧検出回路２０、２２に接続されており、電圧検出回路２０、２２から入力される検出信号Ｘ１、Ｘ２を受け取る。また、状態検出回路３６は、ＣＰＵ３２及び電源スイッチ２６に接続されており、電源スイッチ２６及びＣＰＵ３２から出力される遷移指示Ｙを受け取る他、ＣＰＵ３２から出力される各種指示を受け取る。
【００２３】
状態検出回路３６は、ＲＴＣ２４に接続されており、クロック信号ＣＬを出力する状態と出力しない状態とを切り換える制御信号Ｘ３をＲＴＣ２４に出力する。状態検出回路３６は、通常、クロック信号ＣＬを出力する状態とする制御信号Ｘ３をＲＴＣ２４に出力している。そして、後述するように、受け取った検出信号Ｘ１、Ｘ２及び遷移指示Ｙが特定の状態となった場合に、制御信号Ｘ３を切り換える。ＲＴＣ２４は、制御信号Ｘ３によりＲＴＣ２４がクロック信号ＣＬの出力状態となっている場合に、バックアップ電源動作回路３８にクロック信号を出力する。一方、制御信号Ｘ３によりＲＴＣ２４がクロック信号ＣＬの出力停止状態となっている場合に、バックアップ電源動作回路３８へのクロック信号の出力を停止し、ＲＴＣ２４における電力消費を抑える。
【００２４】
また、状態検出回路３６は、電源部１２に接続されており、電力を出力する状態と電力を出力しない状態を切り換える制御信号Ｘ４を電源部１２に出力する。状態検出回路３６は、オン状態への遷移指示Ｙを受け取った場合に、電力を出力する状態とする制御信号Ｘ４を電源部１２に出力する。また、オフ状態への遷移指示Ｙを受け取った場合に、電力を出力しない状態とする制御信号Ｘ４を電源部１２に出力する。さらに、検出信号Ｘ１が第１電圧検出回路２０の出力停止状態を示すＬｏｗ状態の際に、検出信号Ｘ２が閾値電圧ＶＫ以下の電圧であることを示すＬｏｗ状態となった場合に、電力を出力する状態とする制御信号Ｘ４を電源部１２に出力する。電源部１２は、電源から電力が供給され、制御信号Ｘ４により電源部１２が電力出力状態となっている場合に、電力を出力する。その一方、電源部１２は、停電等により電源から電力が供給されない、または電源から電力が供給されているにも関わらず制御信号Ｘ４により電源部１２が電力出力停止状態となっている場合に、電力の出力を停止するとともに、ＡＣ１００ＶからＤＣ６Ｖへの変換も停止する。
【００２５】
さらに、状態検出回路３６は、後述するように、受け取った検出信号Ｘ１、Ｘ２及び遷移指示Ｙが特定の状態となった場合に、充電回路１６から状態検出回路３６に対する電力供給を停止するようにする。この際、充電回路１６側で状態検出回路３６に対する電力供給を停止してもよければ、状態検出回路３６側で電力の受け取りを遮断してもよい。これにより、状態検出回路３６における電力消費を抑える。
【００２６】
２．プリンタの動作制御
図２ないし図８を参照して、ＡＳＩＣ３０によるプリンタ１０の動作制御を説明する。
【００２７】
（通常動作時）
図２は、プリンタ１０の通常動作時の制御を示すタイムチャートである。ここで、「通常動作」とは、電源から電力が供給されている状態の動作を意味している。このタイムチャートにおいて、ＳＴ１は、ＡＣ１００Ｖ電源からの電力供給状態を示しており、振動状態が電力供給状態を示し、非振動状態が電力供給停止状態を示す。また、ＳＴ２は、電源部１２からの電力出力状態を示しており、Ｈｉｇｈが電力出力状態を示し、Ｌｏｗが電力出力停止状態を示す。ＳＴ３は、ＣＰＵ３２の状態を示しており、実線はＣＰＵ３２の起動状態、つまりプリンタ１０のオン状態を示し、点線はＣＰＵ３２の停止状態、つまりプリンタ１０のオフ状態を示す。ＳＴ４は、状態検出回路３６の各状態を示している。ＳＴ５は、充電回路１６の出力電圧を示しており、ＨｉｇｈがＤＣ  ３．３Ｖを示し、ＬｏｗがＤＣ  ０Ｖを示す。図２には、上記状態ＳＴとともに各種信号Ｘ、ＣＬの状態をあわせて示す。
【００２８】
図３は、通常動作時における処理を説明するフローチャートである。以下、図３を用いて、通常動作時におけるプリンタ１０のオフ状態への遷移処理、及びオフ状態における二次電池１８の充電処理について説明する。
【００２９】
ＣＰＵ３２は、電源スイッチ２６からオフ状態への遷移指示Ｙが入力される（Ｓ２）と、当該遷移指示Ｙを状態検出回路３６に出力する（Ｓ４）。これによって、状態検出回路３６は、ＣＰＵ３２からの指示を受け付けるコマンド待状態から、プリンタ１０の再起動を待機する再起動待状態へと移行する（Ｓ６）。また、状態検出回路３６は、電源部１２を電力出力停止状態とする制御信号Ｘ４を出力する（Ｓ８）。これにより、電源部１２は電力の出力を停止し、第１電圧検出回路２０が出力する検出信号Ｘ１が、出力状態を示すＨｉｇｈ状態から、出力停止状態を示すＬｏｗ状態へと切り換わる（Ｓ１０）。また、ＣＰＵ３２が、起動状態から停止状態に切り換わる。
【００３０】
電源部１２からの電力の出力が停止すると、充電回路１６に電力が供給されず、また充電回路１６からバックアップ電源動作回路３８及びＲＴＣ２４に対する電力の供給により、二次電池１８に充電された電力が減少する。この結果、充電回路１６の出力電圧Ｖ２が低下する。第２電圧検出回路２２は、充電回路１６の出力電圧Ｖ２を検出しており（Ｓ１２：ＮＯ）、出力電圧Ｖ２が予め定められた閾値電圧ＶＫまで減少した場合に（Ｓ１２：ＹＥＳ）、第２電圧検出回路２２が出力する検出信号Ｘ２が、閾値電圧ＶＫよりも高い電圧を示すＨｉｇｈ状態から、閾値電圧ＶＫ以下の電圧を示すＬｏｗ状態へと切り換わる（Ｓ１４）。
【００３１】
状態検出回路３６は、プリンタ１０のオフ状態において、検出信号Ｘ２がＬｏｗ状態へ切り換わったことを検出すると、再起動待状態から電源部１２から電力供給が開始されるのを待機するアップ待状態へと移行する（Ｓ１６）。また、状態検出回路３６は、電源部１２を電力出力状態とする制御信号Ｘ４を出力する（Ｓ１８）。なお、電源部１２を電力出力状態とする制御信号Ｘ４は、信号出力時間が予め決められた基準時間ＴＫよりも短く設定されており、電源部１２を電力出力停止状態とする制御信号Ｘ４は、信号出力時間が基準時間ＴＫよりも長く設定されている。そのため、電源部１２は、状態検出回路３６から制御信号Ｘ４が入力された場合に、その信号出力時間を基準時間ＴＫと比較することで、いずれの制御信号Ｘ４であるかを検出することができる。
【００３２】
電源部１２は、電源部１２を電力出力状態とする制御信号Ｘ４を受け取ると、一定時間ＴＤ後に電力を出力する。ここで、「一定時間ＴＤ」とは、ＡＣ１００Ｖの形式で供給される電力をからＤＣ６Ｖの形式への変換するために、電源部１２を構成するコンデンサに電荷を蓄えるのに必要な時間に基づいて決定される。これにより、検出信号Ｘ１が、Ｌｏｗ状態からＨｉｇｈ状態へと切り換わる（Ｓ２０）。また、ＣＰＵ３２が、停止状態から起動状態に切り換わる。また、充電回路１６に対する電力の供給が再開され、出力電圧Ｖ２が３．３Ｖまで増加し、検出信号Ｘ２が、Ｌｏｗ状態からＨｉｇｈ状態へと切り換わる（Ｓ２２）。状態検出回路３６は、検出信号Ｘ１がＨｉｇｈ状態へ切り換わったことを検出すると、アップ待状態からコマンド待状態へと移行する（Ｓ２４）。
【００３３】
（第１非通常動作時）
次に、非通常動作時の制御について説明する。ここで、「非通常動作」とは、停電等により電源から電力が供給されない状態の動作を意味している。また、第１非通常動作とは、非通常動作のうち、プリンタ１０のオン状態において電源から電力が供給されない状態となった場合の動作を示している。
【００３４】
図４は、プリンタ１０の第１非通常動作の制御を示すタイムチャートである。また、図５は、第１非通常動作時における処理を説明するフローチャートである。以下、図５を用いて、第１非通常動作時におけるプリンタ１０の電力遮断処理とクロック信号停止処理、及びその復旧処理について説明する。
【００３５】
電源部１２は、プリンタ１０のオン状態において、停電等により電源からの電力供給が停止（Ｓ３２）すると、電力の出力を停止する。これにより、第１電圧検出回路２０が出力する検出信号Ｘ１が、Ｈｉｇｈ状態からＬｏｗ状態へと切り換わり（Ｓ３４）、ＣＰＵ３２が、起動状態から停止状態に切り換わる。また、充電回路１６に電力が供給されず、二次電池１８への充電が停止する。状態検出回路３６は、プリンタ１０のオン状態にも関わらず、検出信号Ｘ１がＬｏｗ状態へ切り換わったことを検出すると、コマンド待状態から充電回路１６からの電力供給を遮断するセーブ状態へと移行する（Ｓ３６）。
【００３６】
また、状態検出回路３６は、ＲＴＣ２４に出力する制御信号Ｘ３を、出力状態を示すＨｉｇｈ状態から、出力停止状態を示すＬｏｗ状態へと切り換える（Ｓ３８）。ＲＴＣ２４は、制御信号Ｘ３がＬｏｗ状態へ切り換わったことを検出すると、状態検出回路３６へのクロック信号ＣＬの出力を停止する（Ｓ４０）。
【００３７】
電源部１２は、停電復帰等を待機し（Ｓ４２：ＮＯ）、電源からの電力供給が復帰する（Ｓ４２：ＹＥＳ）と、電力の出力を再開する。これにより、検出信号Ｘ１が、Ｌｏｗ状態からＨｉｇｈ状態へと変化し（Ｓ４４）、ＣＰＵ３２が、停止状態から起動状態に切り換わる。状態検出回路３６は、セーブ状態において、検出信号Ｘ１がＨｉｇｈ状態へ切り換わったことを検出すると、コマンド待状態へと移行する（Ｓ４６）。
【００３８】
状態検出回路３６は、コマンド待状態へと移行すると、制御信号Ｘ３をＬｏｗ状態からＨｉｇｈ状態へと切り換える（Ｓ４８）。ＲＴＣ２４は、制御信号Ｘ３がＨｉｇｈ状態へ切り換わったことを検出すると、バックアップ電源動作回路３８へのクロック信号ＣＬの出力を再開する（Ｓ５０）。
【００３９】
（第２非通常動作時）
次に、第２非通常動作時の制御について説明する。ここで、第２非通常動作とは、非通常動作のうち、プリンタ１０のオフ状態において電源から電力が供給されない状態となった場合の動作を示している。
【００４０】
図６は、プリンタ１０の第２非通常動作の制御を示すタイムチャートである。また、図７または図８は、第２非通常動作時における処理を説明するフローチャートである。以下、図７または図８を用いて、第２非通常動作時におけるプリンタ１０の電力遮断処理とクロック信号停止処理、及びその復旧処理について説明する。
【００４１】
図２に示す通常動作時と同様に、プリンタ１０では、電源スイッチ２６からオフ状態への遷移指示Ｙが入力される（Ｓ２）と、状態検出回路３６は、コマンド待状態から再起動待状態へと移行する（Ｓ６）。電源部１２は、電力の出力を停止し、第１電圧検出回路２０が出力する検出信号Ｘ１が、Ｈｉｇｈ状態からＬｏｗ状態へと切り換わる（Ｓ１０）。ＣＰＵ３２は、起動状態から停止状態に切り換わる。電源部１２からの電力の出力が停止すると、二次電池１８に充電された電力が減少し、充電回路１６の出力電圧Ｖ２が低下する。
【００４２】
電源部１２は、プリンタ１０のオフ状態において電源からの電力供給が停止（Ｓ３２）しても、既に電源部１２からの電力の出力が停止されており、出力状態に変化はない。本実施形態では、電源部１２が電力出力停止状態となっている場合に、電源部１２はＡＣ１００ＶからＤＣ６Ｖへの電圧変換処理も停止している。つまり、電源からの電極供給を遮断しており、電源からの電力供給が停止したことを検出しない。
【００４３】
また、図２に示す通常動作時と同様に、第２電圧検出回路２２は、出力電圧Ｖ２が閾値電圧ＶＫまで減少した場合に（Ｓ１２：ＹＥＳ）、第２電圧検出回路２２が出力する検出信号Ｘ２が、Ｈｉｇｈ状態からＬｏｗ状態へと切り換わる（Ｓ１４）。状態検出回路３６は、プリンタ１０のオフ状態において、検出信号Ｘ２がＬｏｗ状態へ切り換わったことを検出すると、再起動待状態からアップ待状態へと移行し（Ｓ１６）、電源部１２を電力出力状態とする制御信号Ｘ４を電源部１２に出力する（Ｓ１８）。
【００４４】
状態検出回路３６は、電源部１２を電力出力状態にする制御信号Ｘ４を出力したにも関わらず、一定時間ＴＤが経過しても電源部１２から電力が供給されない場合、つまり検出信号Ｘ１がＬｏｗ状態のままである場合（Ｓ５２）、コマンド待状態からセーブ状態へと移行する（Ｓ５４）。また、状態検出回路３６は、ＲＴＣ２４に出力する制御信号Ｘ３を、Ｈｉｇｈ状態からＬｏｗ状態へと切り換える（Ｓ５６）。ＲＴＣ２４は、制御信号Ｘ３がＬｏｗ状態へ切り換わったことを検出すると、バックアップ電源動作回路３８へのクロック信号ＣＬの出力を停止する（Ｓ５８）。
【００４５】
電源部１２は、停電復帰等を待機し（Ｓ４２：ＮＯ）、電源からの電力供給が復帰する（Ｓ４２：ＹＥＳ）と、図５に示す第１非通常動作時と同様に、電力の出力を再開し、ＣＰＵ３２は、停止状態から起動状態に切り換わる。状態検出回路３６は、セーブ状態からコマンド待状態へと移行し（Ｓ４６）、制御信号Ｘ３をＬｏｗ状態からＨｉｇｈ状態へと切り換える（Ｓ４８）。ＲＴＣ２４は、制御信号Ｘ３がＨｉｇｈ状態へ切り換わったことを検出すると、バックアップ電源動作回路３８へのクロック信号ＣＬの出力を再開する（Ｓ５０）。
【００４６】
３．本実施形態の効果
（１）本実施形態のプリンタ１０では、状態検出回路３６が電源部１２を電力出力状態とする制御信号Ｘ４を出力しているにも関わらず、電源部１２から電力が出力されない場合、状態検出回路３６はセーブ状態へと移行し、状態検出回路３６における電力消費を抑える。そのため、電源部１２から電力が出力されず、充電回路１６の二次電池１８を充電できない場合に、充電回路１６に充電されている電力をＲＴＣ２４のみに供給することができる。これによって、状態検出回路３６とＲＴＣ２４の両方に供給する場合に比べてＲＴＣ２４に電力を供給可能な期間を長期化することができる。この結果、再び電源部１２から電力が出力される状態となる前に、ＲＴＣ２４への電力の供給が終了し、再び電源部１２から電力が出力される状態となった場合に、年月日や時間の設定等の作業が必要となる事態の発生を抑制することができる。
【００４７】
具体的には、プリンタ１０のオン状態において停電が発生した場合に、充電回路１６から状態検出回路３６に対する電力供給を遮断する。これによって、充電回路１６に充電されている電力がＲＴＣ２４のみに供給され、ＲＴＣ２４に電力を供給可能な期間が長期化する。また、プリンタ１０のオフ状態において充電回路１６の出力電圧Ｖ２が閾値電圧ＶＫを下回った際に、停電等により充電回路１６を再充電するための電力が供給されない場合に、充電回路１６から状態検出回路３６に対する電力供給を遮断する。これによって、充電回路１６に充電されている残り少ない電力がＲＴＣ２４のみに供給され、ＲＴＣ２４に電力を供給可能な期間が長期化する。
【００４８】
（２）本実施形態のプリンタ１０では、状態検出回路３６が電源部１２を電力出力状態とする制御信号Ｘ４を出力しているにも関わらず、電源部１２から電力が出力されない場合、状態検出回路３６はＲＴＣ２４をクロック信号ＣＬの出力停止状態とし、ＲＴＣ２４における電力消費を抑える。そのため、電源部１２から電力が出力されず、充電回路１６の二次電池１８を充電できない場合に、充電回路１６に充電されている電力の消費をおさえることができる。これによって、クロック信号ＣＬを出力状態とした場合に比べてＲＴＣ２４に電力を供給可能な期間を長期化することができる。この結果、再び電源部１２から電力が出力される状態となる前に、ＲＴＣ２４への電力の供給が終了し、再び電源部１２から電力が出力される状態となった場合に、年月日や時間の設定等の作業が必要となる事態の発生を抑制することができる。
【００４９】
具体的には、プリンタ１０のオン状態において停電が発生した場合に、クロック信号ＣＬを出力しない状態とする。これによって、ＲＴＣ２４で消費される量が減少し、ＲＴＣ２４に電力を供給可能な期間が長期化する。また、プリンタ１０のオフ状態において充電回路１６から供給される電力の電圧が閾値電圧ＶＫを下回った際に、停電等により充電回路１６に電力を蓄えるための電力が供給されない場合に、充電回路１６から状態検出回路３６に対する電力供給を遮断する。これによって、充電回路１６に充電されている電力が残り少ない場合に、ＲＴＣ２４で消費される量が減少し、ＲＴＣ２４に電力を供給可能な期間が長期化する。
【００５０】
＜他の実施形態＞
本発明は上記記述及び図面によって説明した実施形態に限定されるものではなく、例えば次のような種々の態様も本発明の技術的範囲に含まれる。
（１）上記実施形態では、電源部１２から電力が出力されない場合、状態検出回路３６がセーブ状態へと移行することと、ＲＴＣ２４をクロック信号ＣＬの出力停止状態とすることを共に行う例を用いて説明を行ったが、一方のみ行ってもよい。これらの少なくとも一方を行うことで、状態検出回路３６またはＲＴＣ２４における電力消費を抑えることができ、ＲＴＣ２４に電力を供給可能な期間を長期化することができる。
【００５１】
（２）上記実施形態では、電源部１２に電源から電力が供給されない例として停電を用いて説明を行ったが、これだけではない。例えば、プリンタ１０の移動のために、電源部１２を電源から非接続とした場合や、電源部１２と電源を接続する配線の断線等の場合にも本発明は有用である。
【００５２】
（３）上記実施形態では、装置として、印字部４０を有し、プリンタ機能を有するプリンタ１０を用いて説明を行ったが、本発明はこれに限られない。例えば、スキャナ機能、コピー機能、ファクシミリ機能等の１つの機能を有する装置でもよければ、これらの機能の複数をあわせ持つ複合機であっても良い。
【００５３】
（３）上記実施形態では、電源スイッチ２６を有しており、ユーザによる電源スイッチ２６の状態の切り換えにより状態検出回路３６に遷移指示Ｙが入力される例を用いて説明を行ったが、本発明はこれに限られない。例えば、ＣＰＵ３２がユーザからの指令をうけてからの時間を計時しており、この計時時間に基づいてＣＰＵ３２が状態検出回路３６に遷移指示Ｙを出力してもよい。
【００５４】
（４）上記実施形態では、プリンタ１０が１つのＡＳＩＣ３０を有し、ＡＳＩＣ３０がＣＰＵ３２を有する通常電源動作回路３４と状態検出回路３６を備えるバックアップ電源動作回路３８を備える例を用いて示したが、本発明はこれに限られない。例えば、お互いに異なる制御ユニットに通常電源動作回路３４とバックアップ電源動作回路３８が構成されても良い。
【００５５】
（５）上記実施形態では、状態検出回路３６が電源部１２に制御信号Ｘ４を出力し、電源部１２の状態を切り換える例を用いて説明したが、本発明はこれに限られない。例えば、状態検出回路３６は電圧変換回路１４に制御信号を出力し、電圧変換回路１４の状態を切り換えてもよい。この場合、第１電圧検出回路２０は、電圧変換回路１４から出力される出力の電圧を測定する。また、電源部と電圧変換回路は、一体として形成されていても良い。
【符号の説明】
【００５６】
１０：プリンタ、１２：電源部、１４：電圧変換回路、１６：充電回路、１８：二次電池、２０、２２：電圧検出回路、２４：ＲＴＣ、２６：電源スイッチ、３０：ＡＳＩＣ、３２：ＣＰＵ、３４：通常電源動作回路、３６：状態検出回路、３８：バックアップ電源動作回路、４０：印字部、ＣＬ：クロック信号、ＴＤ：一定時間、
【図１】
0005824894.tif 000002
【図２】
0005824894.tif 000003
【図３】
0005824894.tif 000004
【図４】
0005824894.tif 000005
【図５】
0005824894.tif 000006
【図６】
0005824894.tif 000007
【図７】
0005824894.tif 000008
【図８】
0005824894.tif 000009